(57)【要約】  本発明はメディア配信および／または聴視確認のための方法、システムおよび装置に関する。本発明の一実施形態では、メディア・コンテンツがデータベースに記憶される。データベースからのメディア・コンテンツはスケジュール編成され、ディスプレイ・ユニットに表示される。一実施形態では、ディスプレイ・ユニットは伝統的な映画ポスター表示ケースが占めるスペースとほぼ同じスペースで壁に設置されたステレオ・スピーカー付きのフラットパネル・ディスプレイを備えている。一実施形態では、ディスプレイ・ユニットは伝統的な映画ポスター表示ケースにレトロスタイルで取付けられる。一実施形態では、ディスプレイ・ユニットはセンサ・ユニットを有している。一実施形態はディスプレイが観られているか否かを判定するために使用されるモーション・センサを有している。
2005514827.tif 000002
【特許請求の範囲】
【請求項１】
メディア配信方法であって、
複数のメディア・コンテンツをデータベースに記憶するステップと、
ディスプレイ・ユニット用に再生スケジュールを作成するステップと、
前記再生スケジュールに従って前記ディスプレイ・ユニットに前記複数のメディア・コンテンツの要素を表示するステップと、を含む方法。
【請求項２】
前記ディスプレイ・ユニットで環境データセットを収集するステップをさらに含む請求項１に記載の方法。
【請求項３】
前記環境データセットに応じて前記再生スケジュールを変更するステップをさらに含む請求項２に記載の方法。
【請求項４】
前記環境データは人口統計学的情報を含む請求項３に記載の方法。
【請求項５】
メディアの表示方法であって、
メディア・アイテムを第一の状態で表示するステップと、
トリガ・イベントを受信するステップと、
メディア・アイテムを第二の状態で表示するステップと、を含む方法。
【請求項６】
前記トリガ・イベントは時間経過である請求項５に記載の方法。
【請求項７】
前記トリガ・イベントはモーション・イベントである請求項５に記載の方法。
【請求項８】
前記トリガ・イベントはカード・イベントである請求項５に記載の方法。
【請求項９】
メディア配信方法であって、
ディスプレイ・ユニットに関連する情報セットを取得するステップと、
前記情報セットに関連する前記メディアの要素を表示するステップと、を含む方法。
【請求項１０】
前記取得ステップは、
視聴者の本人確認を行い、
前記視聴者に関連する第二の情報セットを取得するステップを含む請求項９に記載の方法。
【請求項１１】
前記取得ステップは、
第二の環境データセットを取得するステップを含む請求項９に記載の方法。
【請求項１２】
前記第二の環境データセットは前記ディスプレイ・ユニットの単数、または複数の視聴者に関連する人口統計学的情報を含む請求項１１に記載の方法。
【請求項１３】
メディア配信方法であって、
コンテンツのプロバイダにコンテンツ要素を表示するための第一の料金を課すステップと、
前記コンテンツ要素が視聴されていることが確認されると、前記コンテンツのプロバイダにコンテンツ要素を表示するための第二の料金を課すステップと、を含む方法。
【請求項１４】
前記コンテンツ要素が所望の人口統計学的要素に関連する視聴者によって視聴されたことが確認される請求項１３に記載の方法。
【請求項１５】
メディア配信方法であって、
コンテンツの再生を第一の料金で最初の購入者によって確保するステップと、
前記コンテンツの再生を第二の料金で第二の購入者に再販することを試みるステップと、を含む方法。
【請求項１６】
前記コンテンツの再生が第二の購入者によって再販された場合だけ、前記第一の料金を前記最初の購入者に課すステップをさらに含む請求項１５に記載の方法。
【請求項１７】
メディア表示のスケジュール編成方法であって、
メディア要素の再生時間を要求するステップと、
前記再生時間中に前記コンテンツ要素を再生できるか否かを判定するステップと、
前記再生時間中に前記コンテンツ要素を再生できる場合は、前記再生時間中にゼンキコンテンツ要素のスケジュールを編成するステップと、を含む方法。
【請求項１８】
前記再生時間は期間である請求項１７に記載の方法。
【請求項１９】
前記再生時間は時間のインスタンスである請求項１７に記載の方法。
【請求項２０】
前記判定ステップは、
前記メディア要素にメディア要素の優先順位を割当てるステップと、
スケジュール編成された１つ以上の前記メディアデイア要素よりも優先順位が低いメディア要素のスケジュール再編成によって前記メディア要素が前記再生時間中にスケジュール編成されることが可能か否かを判定するステップと、を含む請求項１７に記載の方法。
【請求項２１】
メディア配信システムであって、
複数のメディア・コンテンツを記憶するように構成されたデータベースと、
再生スケジュールを作成するように構成されたスケジュール編成ユニットと、
前記再生スケジュールに従って前記ディスプレイ・ユニットに前記複数のメディア・コンテンツの要素を表示するように構成されたディスプレイ・ユニットと、を備えたシステム。
【請求項２２】
前記ディスプレイ・ユニットで環境データセットを収集するように構成された収集ユニットをさらに備えた請求項２１に記載のメディア配信システム。
【請求項２３】
前記環境データセットに応じて前記再生スケジュールを変更するように構成されたスケジュール変更ユニットをさらに備えた請求項２２に記載のメディア配信システム。
【請求項２４】
前記環境データは人口統計学的情報を含む請求項２３に記載のメディア配信システム。
【請求項２５】
メディア表示システムであって、
メディア・アイテムを第一の状態で表示するように構成された第一表示サブシステムと、
トリガ・イベントを受信するように構成されたイベント受信機と、
メディア・アイテムを第二の状態で表示するように構成された第二表示サブシステムと、を備えたシステム。
【請求項２６】
前記トリガ・イベントは時間経過である請求項２５に記載のシステム。
【請求項２７】
前記トリガ・イベントはモーション・イベントである請求項２５に記載のメディア表示システム。
【請求項２８】
前記トリガ・イベントはカード・イベントである請求項２５に記載のメディア表示システム。
【請求項２９】
メディア配信システムであって、
ディスプレイ・ユニットに関連する情報セットを取得するように構成された取得ユニットと、
前記情報セットに関連する前記メディア要素を表示するように構成されたディスプレイ・ユニットと、を備えたシステム。
【請求項３０】
前記取得ユニットは、
視聴者の本人確認を行うように構成された本人確認ユニットと、
前記視聴者に関連する第二の情報セットを取得するように構成された第二取得ユニットと、を備えた請求項２９に記載のメディア配信システム。
【請求項３１】
前記取得ユニットは、
第二の環境データセットを取得するように構成された第二取得ユニットを備えた請求項２９に記載のメディア配信システム。
【請求項３２】
前記セットは前記ディスプレイ・ユニットの単数、または複数の視聴者に関連する人口統計学的情報を含む請求項３１に記載のメディア配信システム。
【請求項３３】
メディア配信システムであって、
コンテンツのプロバイダにコンテンツ要素を表示するための第一の料金を課すように構成された第一価格決定サブシステムと、
前記コンテンツ要素が視聴されていることが確認されると、コンテンツのプロバイダにコンテンツ要素を表示するための第二の料金を課すように構成された第二価格決定サブシステムと、を備えたシステム。
【請求項３４】
前記コンテンツ要素が所望の人口統計学的要素に関連する視聴者によって視聴されたことが確認される請求項３３に記載のメディア配信システム。
【請求項３５】
メディア配信システムであって、
コンテンツの再生を第一の料金で最初の購入者によって確保するように構成された確保ユニットと、
前記コンテンツの再生を第二の料金で第二の購入者に再販することを試みるように構成された再販サブシステムと、を備えたシステム。
【請求項３６】
前記コンテンツの再生が第二の購入者によって再販された場合だけ、前記第一の料金を前記最初の購入者に課すように構成された価格決定サブシステムをさらに備えた請求項３５に記載のメディア配信システム。
【請求項３７】
メディア表示のスケジュール編成システムであって、
メディア要素の再生時間を要求するように構成された要求ユニットと、
前記再生時間中に前記コンテンツ要素を再生できるか否かを判定するように構成された判定装置と、
前記再生時間中に前記コンテンツ要素を再生できる場合は、前記再生時間中に前記コンテンツ要素のスケジュールを編成するように構成されたスケジューラと、を備えたシステム。
【請求項３８】
前記再生時間は期間である請求項３７に記載のメディア表示のスケジュール編成システム。
【請求項３９】
前記再生時間は時間のインスタンスである請求項３７に記載のメディア表示のスケジュール編成配システム。
【請求項４０】
前記判定装置は、
前記メディア要素にメディア要素の優先順位を割当てるように構成された割当てユニットと、
スケジュール編成された１つ以上の前記メディアデイア要素よりも優先順位が低いメディア要素のスケジュール再編成によって前記メディア要素が前記再生時間中にスケジュール編成されることが可能か否かを判定するように構成された第二判定装置と、を備えた請求項３７に記載のメディア表示のスケジュール編成システム。
【請求項４１】
コンピュータ・プログラム製品であって、
メディアを配信するように構成されたコンピュータ読出し可能コードが組み込まれたコンピュータ使用可能媒体を備え、前記コンピュータ・プログラム製品は、
コンピュータをして複数のメディア・コンテンツを記憶せしめるように構成されたコンピュータ読出し可能コードと、
コンピュータをして再生スケジュールを作成せしめるように構成されたコンピュータ読出し可能コードと、
前記再生スケジュールに従って、コンピュータをして前記ディスプレイ・ユニットで前記複数のメディア・コンテンツの要素を表示せしめるように構成されたコンピュータ読出し可能コードと、を備えた製品。
【請求項４２】
コンピュータをして前記ディスプレイ・ユニットで環境データセットを収集せしめるように構成されたコンピュータ読出し可能コードをさらに備えた請求項２１に記載のコンピュータ・プログラム製品。
【請求項４３】
コンピュータをして前記環境データセットに応じて前記表示スケジュールを変更せしめるように構成されたコンピュータ読出し可能コードをさらに備えた請求項４２に記載のコンピュータ・プログラム製品。
【請求項４４】
前記環境データは人口統計学的な情報を含む請求項４３に記載のコンピュータ・プログラム製品。
【請求項４５】
コンピュータ・プログラム製品であって、
メディアを表示するように構成されたコンピュータ読出し可能コードが組み込まれたコンピュータ使用可能媒体を備え、前記コンピュータ・プログラム製品は、
コンピュータをして第一の状態でメディア・アイテムを表示せしめるように構成されたコンピュータ読出し可能コードと、
コンピュータをしてトリガ・イベントを受信せしめるように構成されたコンピュータ読出し可能コードと、
コンピュータをして第二の状態でメディア・アイテムを表示せしめるように構成されたコンピュータ読出し可能コードと、を備えた製品。
【請求項４６】
前記トリガ・イベントは時間経過である請求項４５に記載のコンピュータ・プログラム製品。
【請求項４７】
前記トリガ・イベントはモーション・イベントである請求項４５に記載のコンピュータ・プログラム製品。
【請求項４８】
前記トリガ・イベントは時間のインスタンスである請求項４５に記載のコンピュータ・プログラム製品。
【請求項４９】
コンピュータ・プログラム製品であって、
メディアを配信するように構成されたコンピュータ読出し可能コードが組み込まれたコンピュータ使用可能媒体を備え、前記コンピュータ・プログラム製品は、
コンピュータをしてディスプレイ・ユニットに関連する情報セットを取得せしめるように構成されたコンピュータ読出し可能コードと、
コンピュータをして前記情報セットに関連するメディア要素を表示せしめるように構成されたコンピュータ読出し可能コードと、を備えた製品。
【請求項５０】
コンピュータをして取得せしめるように構成された前記コンピュータ読出し可能コードは、
コンピュータをして視聴者の本人確認せしめるように構成されたコンピュータ読出し可能コードと、
コンピュータをして前記視聴者に関連する第二の情報セットを取得せしめるように構成されたコンピュータ読出し可能コードと、を備えた請求項４９に記載のコンピュータ・プログラム製品。
【請求項５１】
コンピュータをして情報を取得せしめるように構成された前記コンピュータ読出し可能コードは、
コンピュータをして第二の環境データセットを取得せしめるように構成されたコンピュータ読出し可能コードを備えた請求項４９に記載のコンピュータ・プログラム製品。
【請求項５２】
前記セットは前記ディスプレイ・ユニットの１つ以上の視聴者に関連する人口統計学的情報を含む請求項５１に記載のコンピュータ・プログラム製品。
【請求項５３】
コンピュータ・プログラム製品であって、
メディアを配信するように構成されたコンピュータ読出し可能コードが組み込まれたコンピュータ使用可能媒体を備え、前記コンピュータ・プログラム製品は、
コンピュータをしてコンテンツ要素を表示するためにコンテンツプロバイダに第一の料金を課すように構成されたコンピュータ読出し可能コードと、
前記コンテンツ要素が視聴されていることが確認されると、前記コンテンツのプロバイダに前記コンテンツ要素を表示するための第二の料金を課すように構成されたコンピュータ読出し可能コードと、を備えた製品。
【請求項５４】
前記コンテンツ要素が所望の人口統計学的要素に関連する視聴者によって視聴されたことが確認される請求項５３に記載のコンピュータ・プログラム製品。
【請求項５５】
コンピュータ・プログラム製品であって、
メディアを配信するように構成されたコンピュータ読出し可能コードが組み込まれたコンピュータ使用可能媒体を備え、前記コンピュータ・プログラム製品は、
コンピュータをしてコンテンツの再生を第一の料金で最初の購入者によって確保せしめるように構成されたコンピュータ読出し可能コードと、
コンピュータをして前記コンテンツの再生を第二の料金で第二の購入者に再販せしめるように構成されたコンピュータ読出し可能コードと、を備えた製品。
【請求項５６】
コンピュータをして前記コンテンツの再生が第二の購入者によって再販された場合だけ、前記第一の料金を前記最初の購入者に課すように構成されたコンピュータ読出し可能コードをさらに備えた請求項５５に記載のコンピュータ・プログラム製品。
【請求項５７】
コンピュータ・プログラム製品であって、
メディア表示のスケジュール編成をするように構成されたコンピュータ読出し可能コードが組み込まれたコンピュータ使用可能媒体を備え、前記コンピュータ・プログラム製品は、
コンピュータをしてメディア要素の再生時間を要求せしめるように構成されたコンピュータ読出し可能コードと、
コンピュータをして前記再生時間中に前記コンテンツ要素を再生できるか否かを判定せしめるように構成されたコンピュータ読出し可能コードと、
前記再生時間中に前記コンテンツ要素を再生できる場合は、コンピュータをして前記再生時間中に前記コンテンツ要素のスケジュールを編成せしめるように構成されたコンピュータ読出し可能コードと、を備えた製品。
【請求項５８】
前記再生時間は期間である請求項５７に記載のコンピュータ・プログラム製品。
【請求項５９】
前記再生時間は時間のインスタンスである請求項５７に記載のコンピュータ・プログラム製品。
【請求項６０】
コンピュータをして判定せしめるように構成された前記コンピュータ読出し可能コードは、
コンピュータをして前記メディア要素にメディア要素の優先順位を割当てるように構成されたコンピュータ読出し可能コードと、
コンピュータをして、スケジュール編成された１つ以上の前記メディア要素よりも優先順位が低いメディア要素のスケジュール再編成によって前記メディア要素が前記再生時間中にスケジュール編成されることが可能か否かを判定せしめるように構成されたコンピュータ読出し可能コードと、を備えた請求項５７に記載のコンピュータ・プログラム製品。
【請求項６１】
トリガ・イベントは多重ディスプレイ・イベント、または１つ以上の同期的イベントである請求項５に記載の方法。
【請求項６２】
トリガ・イベントは多重ディスプレイ・イベント、または１つ以上の同期的イベントである請求項２５に記載のメディア表示スケジュール編成システム。
【請求項６３】
前記再生時間は多重ディスプレイ・イベント、または１つ以上の同期的イベントである請求項３７に記載のメディア表示スケジュール編成システム。
【請求項６４】
前記再生時間は多重ディスプレイ・イベント、または１つ以上の同期的イベントである請求項５７に記載のコンピュータ・プログラム製品。
【請求項６５】
メディア表示システムであって、
関連メディア・コンテンツを表示するように接続可能に構成された２つ以上の表示システムと、
１つ以上のトリガ・イベントを受信するように構成された１つ以上の受信機と、を備えたシステム。
【請求項６６】
前記１つ以上のイベント受信機は外部ソースからのトリガ・イベントを受信するように構成された請求項６６に記載のメディア表示システム。
【請求項６７】
前記外部ソースはディスプレイ・ユニットである請求項６７に記載のメディア表示システム。
【請求項６８】
前記システムは再生スケジュールを作成するように構成された１つ以上のスケジュール編成ユニットを備えた請求項６６に記載のメディア表示システム。
【請求項６９】
前記１つ以上の受信機は前記再生スケジュールからトリガ・イベントを受信するように構成された請求項６９に記載のメディア表示システム。
【請求項７０】
前記トリガ・イベントは時間経過である請求項６６に記載のメディア表示システム。
【請求項７１】
前記トリガ・イベントはモーション・イベントである請求項６６に記載のメディア表示システム。
【請求項７２】
前記トリガ・イベントはカード・イベントである請求項６６に記載のメディア表示システム。
【発明の詳細な説明】
【背景技術】
【０００１】
（関連出願情報）
本出願は開示内容が参照により本明細書に組み込まれている２００１年１２月２１日出願の米国特許仮出願、第６０／３４３，３４２号、「メディア配信および／または聴視確認のための方法、システムおよび装置」の利益を主張するものである。
【０００２】
（技術分野）
本発明はメディア配信の分野に関し、特にメディア配信および／または聴視確認のための方法、システムおよび装置に関する。
【０００３】
（背景技術）
静止画像のポスターは広告サービスおよび製品に頻繁に利用される。例えば、映画館は新発売されつつある製品のポスターを表示する。しかし、ポスターは静止画像であるので、所定の一時に限られた数のアイテムしか表示できない。加えて、ポスターは視聴者の関心を惹く能力に限界があり、広告主にとってポスターが誰かに見られたことを確認し、特定期間の視聴者数を数値化する方法はない。
【発明の開示】
【課題を解決するための手段】
【０００４】
（発明の開示）
本発明の目的はメディア配信の分野に関し、特にメディア配信および／または聴視確認のための方法、システムおよび装置を提供することにある。一実施形態では、メディア・コンテンツがデータベースに記憶される。データベースからのメディア・コンテンツはスケジュールごとに整理され、ディスプレイ・ユニットに表示される。一実施形態では、ディスプレイ・ユニットは伝統的な映画ポスター表示ケースが占めるスペースとほぼ同じスペースで壁に設置されたステレオ・スピーカー付きのフラットパネル・ディスプレイを備えている。一実施形態では、ディスプレイ・ユニットは伝統的な映画ポスター表示ケースにレトロスタイルで取付けられる。別の実施形態ではディスプレイ・ユニットは例えば床に置かれ、または取付けられた自立形ユニットである。代替実施形態では、ディスプレイ・ユニットはカウンタ、棚、デスク、ダッシュボード、テーブル、エレベータ、ビデオ・インターフォン、車体などに設置し、または取付けるのに適している。
【０００５】
本発明の目的はさらに、単数または複数個のセンサ・ユニットを備えたディスプレイ・ユニットを提供することにある。別の実施形態はディスプレイが見られているか否かを判定するために使用されるモーション・センサを有している。別の実施形態はディスプレイが見られているかを判定し、および／または視聴者数を判定するために使用されるビデオ・センサを有している。さらに別の実施形態は視聴者に関する情報を収集するために使用されるカードリーダー・センサを有している。別の実施形態は視聴者からの情報を収集するために使用されるタッチスクリーン・モニタを有している。別の実施形態は携帯電話、ＰＤＡ、またはラップトップを含むがこれらに限定されない携帯用電子機器からの情報を受信するために使用されるセンサを有している。一実施形態では、ディスプレイ・ユニットは更に情報を携帯用電子機器に伝送するように構成された通信ユニットを備えることもできる。一実施形態では、別の通信手段が別の通信ユニットによって使用される。
【０００６】
本発明の別の目的は、各メディア・セグメントに関心を寄せる視聴者の数とタイプに関する情報を収集するためのディスプレイ・ユニットを提供することにある。この情報はコンテンツが見られていることを確認するために利用される。一実施形態では、情報がデータベースに伝送される。聴視の確認は、実施形態によっては基準データ値と組み合わされる値に関連付けられる。
【０００７】
本発明のさらに別の目的は、広告へと区分されたメディア・コンテンツを見るためのディスプレイ・ユニットを備えたメディア配信および／または聴視確認のための方法、システムおよび装置を提供することにある。広告は静止ビデオ、動画ビデオ、オーディオ、および対話機能の指示を含んでいてもよい。例えば、１つの広告はディスプレイ・ユニットが視聴者の存在を検知するまで表示する静止画像であってよい。視聴者の存在が検知されると、広告は動画ビデオとサウンドを再生し始める。一実施形態では、静止画像と動画ビデオは、視聴者がディスプレイを見ると静止画像が動き始めるように視聴者に見えるように構成される。一実施形態では、ディスプレイ・ユニットはそれを使用する視聴者のタイプを判定し、現在の視聴者に関心がある広告を表示するように、その表示スケジュールを再編成する。一実施形態では、ディスプレイ・ユニットは個々の視聴者を特定することができる。例えば、視聴者は視聴者に関する情報を含むスマートカードをディスプレイ・ユニットに提示する。ディスプレイ・ユニットが広告を表示すると、ディスプレイ・ユニットはユーザーのスマートカードの情報を修正する。このように、視聴者がそのスマートカードを他のディスプレイに提示すると、広告のスケジュールをその視聴者用に組む際に、視聴者の履歴を考慮に入れることができる。
【０００８】
本発明の目的はさらに、ユーザーに関する情報を記憶するためのデータベースを提供することにある。個人を特定すると、ディスプレイ・ユニットはそれが個人に関して持っている情報が与えられる個人に適応するように、広告の表示スケジュールを再編成する。実施形態によっては、ディスプレイ・ユニットが視聴者を特定するために使用されるスマートカードから視聴者に関する１組の情報を検索するものもある。ディスプレイ・ユニットはさらに、より完全な情報および／または広告コンテンツの要求をデータベースに送信する。一実施形態では、ローカル・データベースが広告および視聴者情報の不完全なプールを含んでいる。ある期間内に表示される可能性があると見なされる広告だけがローカル・データベースに記憶されている。加えて、提示される可能性があると見なされる視聴者の視聴者情報だけがローカル・データベースに記憶されている。ディスプレイがローカル・データベースに記憶されていない視聴者情報または広告情報を要求した場合は、ローカル・データベースは広告情報および視聴者情報の完全なプールを記憶している中央データベースからの情報を要求する。同様にして、ディスプレイ・ユニットと視聴者との対話によって視聴者情報をローカル・データベースと中央データベースの双方で変更できる。一実施形態では、ローカル・データベースはそこに記憶されている情報を規則的に中央データベースから更新する。
【０００９】
本発明の別の目的は複数のディスプレイ間で広告をコーディネートする方法、システム、および装置を提供することにある。これはディスプレイ間の１つ以上の同期的なイベントによって達成される。例えば、キャラクターが１つのディスプレイから別のディスプレイへと走るように見えるようにでき、または１つ以上の異なるディスプレイ上のキャラクターと場面との対話が可能である（例えば、別のスクリーンに火炎放射器を放つキャラクター、またはキャッチボールする２人のキャラクター）。一実施形態では、各ディスプレイ・ユニットでの表示スケジュールを組むために、対話するディスプレイ・ユニットの相対位置が利用される。例えば、３つのディスプレイが連続して最初のディスプレイから最後のディスプレイへと走るキャラクターと対話しており、最初と２番目のディスプレイが１ユニット分だけ離れ、一方２番目と３番目のユニットが３ユニット分だけ離れている場合、各ユニットでの表示スケジュールは、キャラクターが２番目と３番目のディスプレイ・ユニット間のスペースを横切るのに、最初と２番目のディスプレイの間の距離を横切る場合の３倍の時間を要するように見えるように編成される。一実施形態では、ディスプレイ・ユニットの相対位置はＧＰＳ受信機を使用して判定される。
【００１０】
多重ディスプレイ・イベントに関しては、２つ以上のスクリーンで再生されている関連コンテンツをコーディネートするため、外部ソースからトリガ・イベントを誘導することができる。一実施形態では、外部ソースは別のディスプレイ・ユニットであり、トリガされた別のイベント（例えば時間経過、モーション、カード）は前記ディスプレイ・ユニットが要求された動作を実行することに関与することを要求する。別の実施形態では、サーバー上のプログラムがあらかじめスケジュール設定された要求に基づいて複数のディスプレイ上のイベントをトリガする。例えば、ある時点である位置にある全てのディスプレイ・ユニットで関連コンテンツを再生することである。別の実施形態では、サーバー上のプログラムは、含まれているディスプレイ・ユニットの所定の要求およびスケジュール・シナリオにとって最も適切なコンテンツを選択することに多重ディスプレイが関与することを要求するトリガされたいずれかのイベントをコーディネートする。例えば、イベントがモーションによってトリガされ、モーション・イベントが３つのスクリーン、２つのスクリーン、および単一のスクリーン上で再生できる双方のコンテンツを指定すると、コーディネートするプログラムは、３スクリーンのコンテンツを再生するため、互いに適切に近接した要求を満たすために利用できるディスプレイ・ユニットがあるか否かを判定するためにチェックする。ない場合は、２スクリーンのコンテンツについて、最後に単一スクリーンのコンテンツについてチェックされる。さらに、コーディネートするプログラムは利用できるディスプレイ・ユニットに適切なコンテンツが存在するかを確認し、存在しない場合は、サーバーはそれを直接ディスプレイ・ユニットに流すことができよう。
【００１１】
本発明のさらに別の目的は、１つ以上のディスプレイ・ユニットで重要な情報（例えば非常時の安全支持）を表示するためのメディア配信および／または聴視確認のための方法、システムおよび装置を提供することにある。一実施形態では、ディスプレイ・ユニットのビデオ入力はセキュリティ・システムへのビデオ入力をも供給する。このようにして、危険な個人を特定するために視聴者のパターン・マッチングを行うことができる。加えて、ビデオ入力を他の画像処理技術で分析して、潜在的に危険な行動（例えば子供を強制的に移動させる小児誘拐犯の容疑者、または密かにパッケージ、書類カバン、またはその他の怪しい入れ物を放置するテロリスト爆弾犯の容疑者）が行われているか否かを判定できる。このような非常時には、ディスプレイ・ユニットは有用な情報を表示できる（例えば爆弾犯、または手配犯の容疑者とすれ違わない敷地、建物からの安全な避難経路）を表示することができる。ビルから避難中であることを容疑者に知られないようにする必要がある場合は、避難情報を配信するためにおおむね容疑者の近くにはないディスプレイ・ユニットだけが利用される。
【００１２】
本発明の目的はさらに、広告主によって広告コンテンツを制作し、この広告コンテンツをデータベースに入力するための方法、システムおよび装置を提供することにある。広告主は広告がいつどのように表示されるかを指示することもできる。例えば、ある広告主は視聴者が映画館に入って最初のディスプレイ位置に広告が設置されるように指示する。別の広告主は広告が特定の映画を上映している全映画館の出口に設置され、映画が終わったら表示されるように指示する。一実施形態では、スケジューラはファジイ論理を利用して広告ディスプレイ・リストを作成する。ディスプレイ・ユニット上に広告を表示するために利用できる時間は複数のビンへと分割される。スケジューラはビン内に広告を表示する充分な時間があるか否かを判断し、ある場合は広告をその期間用のディスプレイ・リストに加える。一実施形態では、広告主は特定の時間に広告が再生されるように要求できる。その時間を利用できる場合は、スケジューラは所望の再生時間を含むタイム・ビンをさらに分割する。ビンを分割する際、スケジューラは元のビンで再生されるようにスケジュールが組まれていた広告を、１つの広告が許容範囲を越えて頻繁に再生されることなく、広告が新たなビンに均等に分散されるように設計されたビンに擬似乱数式に入れる。一実施形態では、ディスプレイ・ユニットは要求された広告間のギャップを埋めるために利用される埋め草広告を有している。例えば、ピークを外れた時間帯中に、２０分の期間を完全に埋める広告を出したい広告主が足りないことがある。残りの時間を埋めるために、会社のロゴ（例えばディスプレイ・ユニットを運営する会社のロゴ、またはその場所を所有している会社のロゴ）が表示される。別の実施形態では、可変長の公共サービスの告知が埋め草広告として利用される。
【００１３】
本発明の別の目的は、広告制作に使用されるツールを広告主に提供することにある。一実施形態では、ツールによって広告制作者は容易にサウンド、静止画像、および動画のファイルを広告内に編成し、休止時に、または視聴者との対話時に広告がどのように作用するかを指定できる。別の実施形態では、ツールによって広告制作者は複数個のディスプレイ・ユニットで互いに対話する複数の広告を容易に制作できる。一実施形態では、ツールはディスプレイ・ユニットを含む全ての場所のディスプレイ・ユニット・レイアウト情報を供給する。別の実施形態では、ツールは標準セットのディスプレイ・ユニット・レイアウト（例えば一並びに２つのユニット、一並びに５つのユニット、または部屋の各壁の中央のユニット）を供給する。一実施形態では、ツールは仮想三次元の視聴環境を提供して、対話型ディスプレイがどのように見えるかを広告制作者が見ることができるようにする。視聴環境によって、広告制作者は視角を３６０°回転させて、壁の全てのディスプレイ・ユニットを見ることができ、また広告制作者は視角を上下に移動させて、視線レベルより高いか低い壁のレベルに設置されたディスプレイ、並びに天井または床に設置されたいずれかのディスプレイを見ることができる。
【００１４】
本発明の上記の、およびその他の特徴、態様、および利点は以下の説明、添付の請求項、添付図面、および添付資料を参照することでより明解に理解される。
【００１５】
本発明の上記の、およびその他の特徴、態様、および利点は以下の説明、添付の請求項、および添付図面を参照することでより明解に理解される。
【発明を実施するための最良の形態】
【００１６】
本発明はメディア配信および／または聴視確認のための方法、システムおよび装置である。以下の説明では、本発明の実施形態をより完全に説明するため多くの特定の細部が開示される。しかし、本発明はこれらの特定の細部なしでも実施できることは当業者には明らかである。別の例では、公知の特徴は、本発明を曖昧にしないために詳細には説明されていない。
【００１７】
（メディア配信および／または聴視確認のアーキテクチャ）
一実施形態では、メディア・コンテンツはデータベースに記憶される。データベースからのメディア・コンテンツはスケジュール編成され、ディスプレイ・ユニットに表示される。図１は本発明の一実施形態によるメディア配信アーキテクチャ、および聴視アーキテクチャを示している。メディア・コンテンツ１００、スケジュール情報１１０、および視聴者情報１２０が１つ以上の中央データベース１３０に記憶される。中央データベースは１つのサイトで複数のディスプレイ・ユニット１１０を管理するローカル・サーバ１４０と通信する。別の実施形態では、他のアーキテクチャが実装される。例えば、一実施形態ではローカル・サーバは存在せず、中央データベースがディスプレイ・ユニットと直接通信する。別の実施形態では、サーバーの階層は中央データベースとローカル・サーバとの間に位置している。
【００１８】
一実施形態では、通信は専用の伝送線（例えばローカル・サーバとディスプレイ・ユニットとの間のローカル・ネットワーク）を経て通信することによってセキュリティが保たれる。別の実施形態では、セキュリティがない伝送線を経て（例えば中央データベースとローカル・サーバとの間のインターネットを経て、またはローカル・サーバとディスプレイ・ユニットとの間の無線伝送を介して）暗号化（例えば１２８ビットの暗号化方式）によって一方向のメッセージの伝達を行うことによって通信のセキュリティが保たれるようにされる。
【００１９】
（ディスプレイ・ユニット）
本発明は１つまたは複数のディスプレイ・ユニットを備えていてよい。一実施形態では、ディスプレイ・ユニットは伝統的な映画ポスター表示ケースが占めるスペースとほぼ同じスペースで壁に設置されたステレオ・スピーカー付きのフラットパネル・ディスプレイを備えている。一実施形態では、フラットパネル・ディスプレイはプラズマ・ディスプレイ・モニタである。別の実施形態では、別のディスプレイ・システム（例えばＴＶまたはコンピュータ・モニタ）が使用される。一実施形態では、ディスプレイ・ユニットは伝統的な映画ポスター表示ケースにレトロスタイルで取り付けられる。
【００２０】
別の実施形態では、ディスプレイ・ユニットは例えば床に置かれ、または取付けられた自立形ユニットである。代替実施形態では、ディスプレイ・ユニットは天井、カウンタ、棚、デスク、ダッシュボード、テーブル、エレベータ、ビデオ・インターフォン、車体などに設置し、または取付けるのに適している。
【００２１】
一実施形態では、ディスプレイ・ユニットはセンサ・ユニットも備えている。一実施形態はディスプレイが観られているか否かを判定するために使用されるモーション・センサを有している。別の実施形態はディスプレイが見られているかを判定し、および／または視聴者数を判定するために使用されるビデオ・センサを有している。別の実施形態は視聴者に関する情報を収集するために使用されるカードリーダー・センサを有している。別の実施形態は視聴者からの情報を収集するために使用されるタッチスクリーン・モニタを有している。さらに別の実施形態は気象センサ（例えば温度計、気圧計、湿度センサ、風力計、空気清澄度センサなど）を有している。別の実施形態は携帯式電子機器（例えば携帯電話、ＰＤＡ、またはラップトップ）から情報を受信するために使用されるセンサを有している。一実施形態では、ディスプレイ・ユニットはさらに情報を携帯式電子機器に伝送するように構成された通信ユニットを備えている。一実施形態では、通信ユニットによって赤外線ポートが使用される。別の実施形態では、通信ユニットによって別の通信手段が使用される。
【００２２】
図２は本発明の一実施例によるディスプレイ・ユニットを示している。ディスプレイ・ユニット２００はフラット・スクリーン２１０の両側にステレオ・スピーカ２０５を有している。視聴者がディスプレイ・ユニットの近傍にいる場合にそれを検知するために近接センサが使用される。一実施形態では、近接センサは検知範囲が１０フィートの超音波センサである。一実施形態では、近接センサはモーションを検知するためにも使用される。例えば、検知された対象が以前に検知された対象よりもディスプレイにしきい値距離（例えば６インチ）以上に近い場合は、新たな視聴者が以前からの視聴者の前で移動したことを示す。それはディスプレイ・ユニットで再生されている広告を吟味するために以前からの視聴者がより接近したことをも示す。
【００２３】
何人の視聴者が目下再生されている広告に関心を持っているかを判定するためにビデオ・センサ２２０（例えばデジタル・カメラ）が使用される。一実施形態では、ビデオ・センサによって撮り込まれる画像が分析されて、ディスプレイ・ユニットの前で移動がなされたか否か（例えば背景の変化がある）が判定される。別の実施形態では、近接センサは対象を検知し、ディスプレイ・ユニット内部に隠された制御ユニット２２５に信号を送る。制御ユニットはビデオ・センサを起動し、収集された画像が分析され、（例えばブロブ検出、その他のパターン・マッチング・またはその他の画像処理技術によって）何人の視聴者が目下再生されている広告を見ているかが判定される。一実施形態では、画像は視聴者の性別および年齢を判定するためにも分析される。一実施形態では、センサによって収集され、またはセンサ・データの分析から作成された情報がログ２３０に記憶される。一実施形態では、ログはローカル・サーバに保存される。別の実施形態では、ログは  （例えば制御ユニット論理およびオペレーティング・システムをも含むＲＡＩＤ記憶素子上の）  制御ユニットに保存される。さらに別の実施形態では、ログは独自の別個の記憶ユニットに保存される。
【００２４】
カードリーダー２３５によってユーザーはディスプレイ・ユニットに対して本人確認することができる。ディスプレイ・ユニットは（例えばカードリーダーを介して、ローカル・サーバーから、または中央サーバーから）ユーザーに関する情報を検索し、スケジュール編成された広告再生リストを変更して、本人確認されたユーザーに適応させる。例えば、ユーザーが映画を観たばかりであるとシステムが判定すると、ディスプレイ・ユニットは同類の映画向きの広告、または映画とクロスプロモーションで関連する製品向けに広告のスケジュール編成できる。
【００２５】
勿論、ディスプレイ・ユニットは映画館の場所に限定されるものではない。例えば、博物館内のディスプレイ・ユニットはユーザーが古代エジプトに最も関心があるものと判定し、近く登場する古代エジプトの陶器展示の広告を再生できる。食料品店のレジ・ラインにあるディスプレイ・ユニットは特定のユーザーが安売りの商品を頻繁に購入することを判定し、その販売価格を示す広告のスケジュールを組むことができる。同様に、ディスプレイは視聴者が何を購入するつもりであるかを（例えば店に来る前にユーザーによって入力されたショッピング・リストから）判定し、視聴者が何らかのアイテムを忘れると注意を促すためにリストを表示することができる。別の実施形態では、バーコード読み取り機、またはその他の検知装置は、視聴者がかごに入れたアイテムを自動的に判定し、視聴者が忘れたアイテムをリストで強調表示することができる。
【００２６】
ディスプレイ・ユニットはさらに、これが過熱することを防止するため、またディスプレイ・ユニットの一部または全部の電源を切る必要があるか否かを判定するため、冷却システム２４０と温度センサ２４５をも有している。加えて、ディスプレイ・ユニットはスポンサーがディスプレイ・ユニットにスポンサーの画像を表示できるように、伝統的なロゴ広告スロット２５０を有している。
【００２７】
図３を参照すると、一実施形態では、ディスプレイ・ユニット３００はプラズマ・ディスプレイ・モニタ３０５、スピーカ３１０および３１５、ファンからの空気がディスプレイ・モニタ３０５を冷却する冷却系ファン３２０、複式コンセント３４０，７ポート・サージ・サプレッサ３３０、およびＣＰＵコンピュータ３５０を備えている。ＣＰＵコンピュータ３５０はＶＧＡ−ＯＵＴ用のポート３５１、モーション・センサのシリアルケーブル３５２、カテゴリー５のイーサネット（登録商標）・ポート３５３、オーディオ・ケーブル３５４、およびスクリーン制御ケーブル３５５を備えている。一実施形態では、ディスプレイ・ユニット３００は強靭で、化学耐性が高い熱硬化性のポリマーであるＫｙｄｅｘ（登録商標）からなる外部ケーシング３５６を備えている。
【００２８】
（視聴者の登録および視聴確認）
一実施形態では、視聴者はディスプレイ・ユニットが視聴者の本人確認をできるようにシステムに登録する。視聴者はシステムに、ディスプレイ・ユニットが視聴者に適応させたコンテンツのスケジュール編成することを補助する１組の人口統計学的情報を提供する。一実施形態では、視聴者がディスプレイ・ユニットに対して本人確認し、広告を見ることを促すための報酬システムは確立されている。一実施形態では、視聴量がしきい値に達した後、視聴者には無料商品、アイテムのリベート、クーポン券、またはその他の特別な提供品が与えられる。一実施形態では、視聴者が本人確認のクレジットを受けることができ、かつ広告を見る回数は制限されている。例えば、システムが視聴者用のクレジット・ポイント稼ぎに２時間待つことを要求している場合は、視聴者が別の場所でディスプレイ・ユニットによって本人確認されても、視聴者は２時間が経過するまでは別のクレジットを受けることができない。
【００２９】
図４は本発明の一実施形態による視聴の奨励および確認プロセスを示している。ブロック４００で、ユーザーはシステムに一組の人口統計学的な情報を提供する。一実施形態では、ユーザーは電子インターフェース（例えばウエブサイト、または電話システム）を介して情報を提供する。別の実施形態では、ユーザーは非電子的手段（例えば書類形式での記入および提出、またはシステムの代表との直接面談）によって情報を提供する。ブロック４１０で、システムに対して本人確認する手段がユーザーに与えられる。一実施形態では、ユーザーにスマートカードが提供される。別の実施形態では、ユーザーにコードが与えられる。さらに別の実施形態では、ユーザーに生物測定学的情報を提供するよう指令が発される。
【００３０】
ブロック４２０で、ユーザーはディスプレイ・ユニットに対して本人確認される。ブロック４３０で、表示されているコンテンツを見るクレジットの資格がユーザーにあるか否かが判定される。表示されているコンテンツを見るクレジットの資格がユーザーにない場合は、ブロック４４０でコンテンツを見るクレジットがユーザーにはなく、新たなコンテンツが始まった時にまだ視聴者がいる場合は、プロセスはブロック４３０で反復される。それ以外の場合は、ユーザーがディスプレイ・ユニットに次に接近した時にプロセスはブロック４２０で反復される。表示されているコンテンツを見るクレジットの資格がユーザーにある場合は、ブロック４５０で、ユーザーが報酬を受けるに充分な量のディスプレイ・ユニットのコンテンツを見るか否かが判定される。ユーザーが報酬を受けるに充分な量のディスプレイ・ユニットのコンテンツを見ない場合は、ユーザーがディスプレイ・ユニットに次に接近した時にプロセスはブロック４２０で反復される。ユーザーが報酬を受けるに充分な量のディスプレイ・ユニットのコンテンツを見る場合は、ブロック４６０でユーザーは報酬を受け取る。
【００３１】
一実施形態では、ディスプレイ・ユニットは各ディスプレイ・セグメントに関心を持つ視聴者の数とタイプに関する情報を収集する。この情報はログされ、コンテンツの視聴を確認するために利用される。一実施形態では、情報はデータベースに伝送される。ある実施形態では、視聴の確認は基準ディスプレイ値と組み合わされる数値に関連付けられる。例えば、広告主には規則的スケジュールの一部として広告（または短編フィルムのようなスポンサー協賛番組）を表示するために１つの料金が課せられる。視聴者数に基づく別の（おそらくは追加の）料金は、視聴者が広告を見たことが確認されると課せられる。視聴者の人口統計学的なさらに別の（おそらくは追加の）料金は、視聴者に関する人口統計学的な情報が判明した時に課せられる。上記の請求書発行構造はユニット上のロゴ表示エリアにも適用される。一実施形態では、支払い情報は中央サーバーに記憶されているログ情報から自動的に生成される。一実施形態では、コンテンツが表示された回数に関わりなく、コンテンツを表示するために周期的料金が課せられる。さまざまな実施形態で、コンテンツが表示された回数、コンテンツが聴視された回数、コンテンツを見た人数、および／またはコンテンツを見る目標の人口統計額に適合する人数に基づいて追加料金が請求される。一実施形態では、支払い情報は自動的に広告主に伝送される。別の実施形態では、支払い情報は広告主の口座からの自動引き落としに利用される。さまざまな実施形態で、支払い情報はコンパイルされて広告主に送信され、および／または周期的に広告主の口座から引き落とされる。別のさまざまな実施形態では、支払い情報はシステムが情報を収集すると広告主に送達され、および／または広告主の口座から引き落とされるために利用される。
【００３２】
図５は本発明の一実施形態による広告主の支払いプロセスを示している。ブロック５００で、広告主はディスプレイ・ユニットにコンテンツを表示するための第一の料金を支払うことに同意する。ブロック５１０でコンテンツが表示される。ブロック５２０で、コンテンツが見られているかが判定される。コンテンツが見られていることが確認されない場合は、ブロック５３０で、広告主には第一の料金だけが課せられる。コンテンツが見られているものと判定されると、ブロック５４０で、視聴者の数とタイプが判定される。ブロック５５０で、広告主には第一の料金プラス視聴者情報に基づく追加料金が課せられる。
【００３３】
（予測分析および消費者関係管理システム（ＰＡ−ＣＲＭＳ））
一実施形態では、ディスプレイ・ユニットによって収集されかつログされ、および／またはデータベースに伝送された情報は、広告主用の個別リポートを作成するためにＰＡ−ＣＲＭＳによって分析される。さまざまな実施形態で、これらのリポートは行動の必要性を特定し、行動方針を決定する洞察と前後関係を提示し、および／または引き続いて推進される行動方針の有効性に関する情報／査定を提示する。
【００３４】
一実施形態では、分析と報告はＰＡ−ＣＲＭＳによって自動的に行われる。一実施形態では、分析はリアルタイムで行われる。他のさまざまな実施形態では、ＰＡ−ＣＲＭＳ内の、および／またはこれから独立したソフトウエア・ツールを利用するグループまたは個人が手動的に分析と報告を行う。
【００３５】
さまざまな実施形態によるＰＡ−ＣＲＭＳの実際の利用例には、それらに限定されるものではないが、経路パターンの監視、追跡、および予測、マーケッティング・キャンペーンの成功の数値化、および／または特定のキャンペーンへの個々の消費者の反応の予測、将来の成果の予想（例えば興行収入の趨勢）、新たな販売チャンスへの投資、および消費者にとって最も重要な製品とサービスの提供が含まれる。
【００３６】
（メディア・コンテンツ）
一実施形態では、メディア・コンテンツは広告に細分化される。広告は静止画像ビデオ、動画ビデオ、オーディオ、および広告が対話モード、休止モード、またはコーディネート・モードのいずれかでどのように表示するのかを規定する対話機能の指示を含んでいる。例えば、１つの広告はディスプレイ・ユニットが視聴者の存在を検知するまで表示する静止画像である。視聴者の存在が検知されると、広告は動画ビデオとサウンドの再生を開始する。一実施形態では、静止画像と動画ビデオは、視聴者にとってディスプレイを見ると静止画像が動き始めるように見えるように構成される。さらに別の実施形態では、ビデオ・センサからの画像が取り込まれ、広告の一部として使用される。一実施形態では、視聴者の位置を判定するために画像が分析される。一実施形態では、表示されるコンテンツに影響を及ぼすように視聴者の位置が利用される。ある実施形態の例では、キャラクターの目（または差した指）が視聴者の位置を見て（または指差して）それを追うようにされている。一実施形態では、広告はディスプレイ・エリア全体を占める。別の実施形態では、ディスプレイ・エリアは１つ以上の広告を同時に表示するように区画に分割される。
【００３７】
図６は本発明によるコンテンツ表示のプロセスを示している。ブロック６００で、初期画像が表示される。一実施形態では、初期画像は静止画像である。別の実施形態では、初期画像は動く（またはその他の変化する）画像である。ブロック６１０で・イベントがトリガされる。イベントはモーション・イベント、カード・イベント、またはその他のトリガを誘発するイベント（例えば時間の経過）のいずれであってもよい。ブロック６２０で、イベントによって第二の画像の表示が誘発される。一実施形態では、第二の画像は動く（またはその他の変化する）画像である。別の実施形態では、第二の画像は静止画像である。
【００３８】
（コンテンツの挙動）
一実施形態では、各コンテンツは基本的に、幾つかの部分を含むことがある１つの“ブロブ”（例えばデータベース内の参照ファイル）である。一実施形態では、どの部分もそれが配信される環境内での活動性または非活動性に基づいて表面に出ることができる。一実施形態では、“ライブ・コンテンツ”は、１組の変数（例えば対象または人間の存在）に基づいて１つの状態から別の状態に移行する受動的、および能動的挙動を伴う“能動映画ポスター”であると説明される。
【００３９】
（能動映画ポスター）
一実施形態では、３０秒が１単位である。別の実施形態では、単位は別の長さの時間である。さらに別の実施形態では、単位は異なる長さの時間である。一実施形態では、スタジオまたはマーケッティング担当者がｘ個の“ユニット”または“スポット”を購入する。さまざまな実施形態で、ユニットはビデオ・プロモ／トレーラー（リニア・ビデオ）またはスポンサーのロゴが付いた“能動映画ポスター”である。能動映画ポスターは“考える”画面である。能動映画ポスターはユーザー・インタラクションに関して少なくとも二つ（２）の可能な状態、すなわち静的状態と能動的状態とを含んでいる。さまざまな実施形態では、メディア・コンテンツ内での能動状態と静止状態の順序付けは同じである必要はない。トリガされると、コンテンツは現在の状態に関わりなく能動状態または静止状態に移行できる。さらに、メディア・コンテンツの初期状態を能動状態にすることができる。
【００４０】
（静的状態（非能動状態））
さまざまな実施形態の１つでは、能動映画ポスターは“静的（動かない）状態から始まる。別の実施形態では、能動映画ポスターは能動状態から始まる。一実施形態では、静止状態の能動映画ポスターは紙の映画ポスターのような見かけである。映画ファンにとって、ライトボックスに吊るされた紙の映画ポスターと同様である。
【００４１】
（能動状態（ライブ））
一実施形態では、能動状態は“モーション・ポスター”または“能動映画ポスター”の静止ポスターから動画への進展である。一実施形態では、クリエータによりプログラムされたある特定の遅延の後、静止映画ポスターは能動的、すなわちライブになる。能動状態はディスプレイに映画ファンの関心を惹くように設計されている。ある実施形態の例では、風景の中の雲が動き始め、メル・ギブソンがウインクする。別の実施形態では、能動映画ポスターがパトロンの関心を惹くことに成功すると、モーション・イベントが生ずる。
【００４２】
一実施形態では、静的な状態と動的な状態が共に単一のユニットを構成する。一実施形態の例では、静的状態は１０秒間動かずに留まり、１０秒間のプログラム可能なしきい値内で誰も検知しない場合は、能動状態がトリガされ（すなわち画像が動き始め）、能動状態が２０秒間続いて３０秒１単位を構成する。一実施形態では、いずれの状態も下記の受動的イベント、または要求されたイベント：モーション・イベントまたはカード・イベントを解してユーザーによって中断できる。
【００４３】
（モーション・イベント（受動的））
一実施形態では、モーション・イベントはスマート・ポスター・ディスプレイに引き寄せられ、および／またはそれによって検知される映画ファンによってトリガされる。一実施形態では、モーション・イベントはスケジュール編成された再生に加えて一意的に計測可能である。別の実施形態では、ユーザーの“本人確認”または“プロフィル”は記録されない。一実施形態では、作成されたリポートが、どれだけ多くの“予約された”ユニットがトリガされたイベントを生じたか（すなわちスポットを見るようにファンを惹きつけたか）を示す。一実施形態では、それは予測的フィルタリング（例えば、所定の映画封切りでの興行チケット販売、または製品への全体的な関心の判定）に役立つ。一実施形態では、モーション・イベントは映画ファンが特定の映画封切りも関心があることを示す。さまざまな実施形態では、モーション・イベントを利用してシステム（例えばＴｈｉｎｋＰｉｘＴＭＮｅｔｗｏｒｋ）が興行収入の売り上げを予測できる。
【００４４】
（カード・イベント（要求されたイベント））
一実施形態では、カード・イベントはスマートカード（すなわちＡＭＣ  ＭｏｖｉｅＷａｔｃｈｅｒＴＭカードなど）、食料または飲料容器の一部（例えばソーダ・カップの切り抜き）、キーホルダまたはその他のアイテムによってトリガされる。一実施形態では、カード・イベントは特定の共同販売促進の独創的活動をトリガする。別の実施形態では、カード・イベントは一意的に計測可能である。一実施形態では、ユーザー・データ（例えばＩＤ）が取り込まれる。別の実施形態では、ユーザー・データはカードのＩＤ情報を介して取り込まれる。別の実施形態では、ユーザー・データはウエブ登録によって取り込まれる。さまざまな実施形態では、ユーザー・データはユーザーが誰であるか、および／またはユーザーの好みは何であるかの情報を含んでいる。
別の実施形態では、追加に情報が取り込まれる。一実施形態では、ユーザー・データがオプトイン・ベースで取り込まれる。
【００４５】
一実施形態では、ユーザーのデータベースにはｅメールアドレス、好みの映画、および／または関心がある製品が含まれる。一実施形態では、ユーザー・データベースによってマーケッティング担当者は最も関心が高い観衆の前で独創的な活動（例えば能動的な映画ポスターの形式の広告）をターゲットにできる。一実施形態では、カード・イベントはスタジオ／共同マーケッティング担当者および／または販売促進パートナーに、誰が彼らのスポット広告を見たかを告げる。一実施形態では、カード所持者はカードを使用するとポイントを稼ぐ。別の実施形態では、ポイントは小売で確認され、および／またはスポンサーの製品、および／またはスタジオの補助製品（例えばＤＶＤ、ＣＤサウンドトラック）を購入するために（またはその製品の購入価格を値引きするために）利用される。別の実施形態では、カード・イベントは映画ファンに関心がある目玉商品のホーム・リリースのスケジュールを知らせるために活用される。
【００４６】
（会話型スケジュール編成）
一実施形態では、ディスプレイ・ユニットはこれを利用して視聴者のタイプを判定し、現在の視聴者が関心を持つ広告を表示するように表示スケジュールを再編成する。例えば、一実施形態では、男性と女性を区別するために画像処理技術が利用される。視聴者たちが主に、または完全に同性である場合は、その性別に適応させた広告がスケジュール編成される。代替実施形態では、スケジュール編成された広告は視聴者に関する性別情報を利用してどのように広告を表示すべきかを管理する。例えば、１組のバックグラウンド・ミュージックは全て男性の聴衆向きであり、別の組は全て女性の聴衆向きであり、さらに別バックグラウンド・ミュージックが男女混合の聴衆向けに再生される。聴衆の年齢、性別、および／またはその他の人口統計学的な構成に適応させるために異なる静止画像、動画、およびオーディオ効果を利用できる。例えば、１つは英語、もう１つはスペイン語の２つの広告を制作して、英語が主要な言語である地域で英語版の広告をターゲットにし、またスペイン語が主要な言語である地域でスペイン語版の広告をターゲットにするのではなく、広告主は適切に使用される英語またはスペイン語のオーデイオ・ファイルを指定する１つの広告を制作することができる。広告がある場所で再生される場合、その地域の主な言語を判定し、適切なファイルを使用する。加えて、視聴者が特定されると、広告は視聴者の好みの言語を判定し、適切なファイルを使用できる。
【００４７】
図７は本発明の一実施形態による視聴者の人口統計学的なデータに基づいてコンテンツを表示するためのプロセスを示している。ブロック７００で、観衆の人口統計学的な構成が判定される。ブロック７１０で、表示されるコンテンツが人口統計学的な情報に基づいて決定される。ブロック７１０でコンテンツが表示される。
【００４８】
一実施形態では、コンテンツのスケジュール編成を決定するために、ディスプレイ・ユニットの風景の物理的特長との近接性が利用される。ある実施形態の例では、売店エリアの近傍にあるディスプレイ・ユニットは食品の広告を表示し、一方トイレに近いディスプレイ・ユニットは短い、注目を惹くコンテンツを表示する。別の実施形態では、他のディスプレイ・ユニットへの近接性がスケジュール編成されるコンテンツに影響を及ぼす。さらに別の実施形態では、ディスプレイ・ユニットはより大型のディスプレイ・ユニットを構成する分割画面として動作するように互いにグループ分けされる。一実施形態では、グループ内の各ディスプレイ・ユニットまでの距離と向きが設置時に記憶されるので、システムは位置および方位情報を有し、マルチ・ディスプレイ環境で動作するように制作されたコンテンツをスケジュール編成するオプションを有している。さまざまな実施形態では、ディスプレイ・ユニットのグループは連続している必要がない。
【００４９】
一実施形態では、ディスプレイ・ユニットは個々の視聴者を特定することができる。例えば、視聴者がスマートカードを視聴者に関する情報を含むディスプレイ・ユニットに提示する。ディスプレイ・ユニットが広告をディスプレイすると、ディスプレイ・ユニットはユーザーのスマートカードの情報を修正する。このように、視聴者が別のディスプレイにスマートカードを提示すると、その視聴者向けに広告をスケジュール編成する際に視聴者の履歴を考慮に入れることができる。
【００５０】
一実施形態では、ユーザーに関する情報はデータベースに記憶される。ディスプレイ・ユニットが個人を特定すると、ディスプレイ・ユニットがその個人に関する情報を持っている場合は、個人に適応するように広告表示のスケジュールを編成する。例えば、視聴者がアクション映画を好きな場合は、ディスプレイ・ユニットにアクション映画の広告がスケジュール編成される。視聴者がトム・クルーズの映画にしか関心がない場合は、トム・クルーズが出演予定の近作封切りの広告がスケジュール編成される。ある実施形態では、ディスプレイ・ユニットは視聴者を特定するために使用されるスマートカードから視聴者に関する１組の情報を検索する。ディスプレイ・ユニットはさらに、より完全な情報および／またはコンテンツへの要求をデータベースに送信する。ディスプレイ・ユニットは必要時に多様な人口統計学に適合する再生可能な広告の集積を記憶しているが、広告のより完全な集積はディスプレイ・ユニット以外のどこかに記憶される。一実施形態では、個々のディスプレイ・ユニットに記憶されている広告と視聴者情報の集積よりも完全ではない不完全な集積をローカル・データベースが含んでいる。一定期間内に表示されそうだと思われる広告だけがローカル・データベースに記憶される。ディスプレイがローカル・データベースに記憶されていない視聴者情報または広告情報を要求した場合は、ローカル・データベースは広告および視聴者情報の完全な集積を記憶している中央データベースから情報を要求する。同様にして、ディスプレイ・ユニットと視聴者との対話によって、視聴者の情報がローカル・データベースと中央データベースの双方で変更されることができる。別の実施形態では、視聴者の情報は視聴者のスマートカードで更新される。一実施形態では、ローカル・データベースはそこに記憶されている情報を中央データベースから規則的に更新する。
【００５１】
一実施形態では、ディスプレイ・ユニットはネットワーク接続を解して遠隔地からコンテンツを取得する。一実施形態では、コンテンツはローカル・サーバからディスプレイ・ユニットに送信される。別の実施形態では、コンテンツはセキュリティが保たれた専用ネットワーク接続を介して遠隔サーバーからディスプレイ・ユニットに送信される。一実施形態では、１つ以上のライブ放送がディスプレイ・ユニットおよび／またはディスプレイ・ユニット群に送信される。一実施形態では、ネットワークの帯域幅がコンテンツのライブ送信をサポートするには不充分であるので、ローカル・サーバが１つ以上の放送をディスプレイ・ユニット（単数または複数）に時間遅延を伴ってライブ送信するように動作する。
【００５２】
図８は本発明の１実施形態によるコンテンツの配信プロセスを示している。ブロック８００で、ユーザーはディスプレイ・ユニットにて特定される。ブロック８１０で、ユーザーの情報がディスプレイ・ユニットで利用できるか否かが判定される。ユーザーの情報がディスプレイ・ユニットで利用できない場合は、ブロック８２０でユーザーに関する情報がローカル・データベース、中央データベース、および／またはスマートカードから取得され、プロセスはブロック８３０で継続される。ユーザーの情報がディスプレイ・ユニットで利用できる場合は、ブロック８３０で、ユーザーに適したコンテンツがディスプレイ・ユニットで表示されるために利用できるか否かが判定される。ユーザーに適したコンテンツがディスプレイ・ユニットで表示されるために利用できる場合は、ブロック８４０でユーザーに適したコンテンツが表示される。ユーザーに適したコンテンツがディスプレイ・ユニットで表示されるために利用できない場合は、ブロック８５０で、ローカル・データベースおよび／または中央データベースから適切なコンテンツが検索され、プロセスはブロック８４０で継続される。
【００５３】
（多重ディスプレイ・ユニット広告コーデイネーション）
一実施形態では、広告は複数のディスプレイ間でコーディネートされる。このようにして、対象（例えばキャラクター・アイテム、または非キャラクター・アイテム）は１つのディスプレイから別のディスプレイまで進行するように見えるようにでき（例えば走る、突き出され、または投げ出される、泳ぐなど）、２つの異なるディスプレイ上の場面が対話できる（例えば別のスクリーンに火炎放射器を投げるキャラクター、またはキャッチボールをする２人のキャラクター）。一実施形態では、各ディスプレイ・ユニットでのディスプレイのスケジュール編成のために、対話するディスプレイ・ユニットの相対位置が利用される。例えば、３つのディスプレイが連続して最初のディスプレイから最後のディスプレイへと走るキャラクターと対話しており、最初と２番目のディスプレイが１ユニット分だけ離れ、一方２番目と３番目のユニットが３ユニット分だけ離れている場合、各ユニットでの表示スケジュールは、キャラクターが２番目と３番目のディスプレイ・ユニット間のスペースを横切るのに、最初と２番目のディスプレイの間の距離を横切る場合の３倍の時間を要するように見えるように編成される。一実施形態では、ディスプレイ・ユニットの相対位置はＧＰＳ受信機を使用して、または各ディスプレイの方位が３６０°の測定値で表記される標準の計測技術を介して判定される。別の実施形態では、コーデイネーション・マネージャによって、コーディネートされたディスプレイ・ユニットが適切に配置されることが確実にされる。多重ディスプレイ・ユニット用に制作されたコンテンツには一定のディスプレイ数および編成で使用されるようにタグが付される。例えば、ロビンフットが、標的にあたり、別のディスプレイ上の別の矢を割る矢を右側に放っている場合、コーデイネーション・マネージャは広告の標的部分に使用されるディスプレイ・ユニットが、ロビンフットが矢を放っている広告の部分に使用されているディスプレイの右側にあることを確実にする。
【００５４】
図９は本発明の一実施形態による多重ディスプレイ・コンテンツを表示するプロセスを示している。ブロック９００で、各ディスプレイ・ユニットの位置と向きが決定される。ブロック９１０で、コンテンツが多重ディスプレイの表示用に設計される。ブロック９２０で、ディスプレイ・ユニットの相対位置と向きを考慮に入れつつコンテンツが表示される。一実施形態では、ディスプレイ・ユニット上でアニメーション・シーケンスの始端をずらすことによって相対位置と向きが考慮に入れられる、別の実施形態では、コンテンツの要素がダイナミックであるので、表示する前に位置と向きを補正するようにコンテンツを調整できる。
【００５５】
一実施形態では、コーデイネーション・マネージャはさらに、判明している次の多重ディスプレイ・イベントに基づいてスケジュール編成される適正なコンテンツを決定するために対話型スケジューラと協働する。ある実施形態の例では、その場所のすべてのディスプレイ・ユニットが関与することを要求するようにスケジュール編成された時間ベース・イベントがある場合は、コーデイネーション・マネージャはスケジュール編成された多重ディスプレイ・イベントの開始前に、再生が終了しないか、または特定の許容できるアウト・ポイント（例えば移行ポイント、または潜在的な終了ポイント）を有しているコンテンツの再生を許容しない。同様にして、実施形態によってはコーデイネーション・マネージャが、コーディネートされる２つのディスプレイ間に適切な数（例えばゼロ）のディスプレイが存在することを確実にする。
【００５６】
図１０は、本発明による実施形態のコンテンツのスケジュール編成のプロセスを示している。ブロック１０００で、ディスプレイ・ユニットは新たなコンテンツを表示する準備が完了している。ブロック１０１０で、次に予定されているコンテンツまでの時間が決定される。ブロック１０２０で、次に予定されているコンテンツの時間前に完了するコンテンツ、または許容できるアウト・ポイント（例えばフェード移行、または静止モーメント）を有するコンテンツが決定される。ブロック１０３０で、コンテンツが表示される。
【００５７】
一実施形態では、コーディネートされたディスプレイ・ユニット間でステレオおよびサラウンド・サウンド効果もコーディネートされる。例えば、コーディネートされたディスプレイが、互いに隣接する２つのディスプレイ・ユニットで使用される場合、左のディスプレイ・ユニットの左右のスピーカが広告の“左スピーカ”用のサウンドを再生し、右のディスプレイ・ユニットの左右のスピーカが広告の“右スピーカ”用のサウンドを再生する。
【００５８】
（セキュリテイ・ディスプレイ）
一実施形態では、重要な情報（例えば非常時の安全指示）を表示するために、ローカル管理者がディスプレイ・ユニットの通常のスケジュールを中断することができる。一実施形態では、ディスプレイ・ユニットのビデオ入力はセキュリティ・システムへのビデオ入力をも供給する。このように、危険な人物（例えばテロリストまたはその他の犯罪容疑者）を特定するためにパターン・マッチングを実行できる。加えて、他の画像処理技術を利用してビデオ入力を分析して、潜在的に危険な行動（例えば子供を強制的に移動させる小児誘拐犯の容疑者、または密かにパッケージ、書類カバン、またはその他の怪しい入れ物を放置するテロリスト爆弾犯の容疑者）が行われているか否かの判定がなされる。このような非常時には、ディスプレイ・ユニットは有用な情報（例えば爆弾犯、または手配犯の容疑者とすれ違わない敷地、建物からの安全な避難経路）を表示できる。ビルから避難中であることを容疑者に知られないようにする必要がある場合は、避難情報を配信するためにおおむね容疑者の近くにはないディスプレイ・ユニットだけが利用される。
【００５９】
（広告コンテンツの制作とスケジュール編成）
一実施形態では、広告主によってコンテンツが制作され、広告データベースに入力される。一実施形態では、広告のコンテンツの断片、およびそれらの断片がどのように対話するかを示すために説明的言語が用いられる。広告主はさらに、広告がいつ、どのように表示されるのかを示す。例えば、ある広告主は視聴者が映画館に入って最初のディスプレイ位置に広告が設置されるように指示する。別の広告主は特定の映画を上映しているすべての映画館の出口の側に広告が設置され、映画が終了すると表示されるように指示する。
【００６０】
一実施形態では、スケジューラはファジイ論理を利用して広告ディスプレイ・リストのスケジュールを編成する。ディスプレイ・ユニット上に広告を表示するために利用できる時間は複数のビンへと分割される。広告主はビンによってあらわされる期間中に再生される広告を要求できる。スケジューラはビン内に広告を表示する充分な時間があるか否かを判断し、ある場合は広告をその期間用のディスプレイ・リストに加える。一実施形態では、広告主は特定の時間に広告が再生されるように要求できる。その時間を利用できる場合は、スケジューラは所望の再生時間を含むタイム・ビンをさらに分割する。ビンを分割する際、スケジューラは元のビンで再生されるようにスケジュールが組まれていた広告を、１つの広告が許容範囲を越えて頻繁に再生されることなく、広告が新たなビンに均等に分散されるように設計されたビンに擬似乱数式に入れる。
【００６１】
一実施形態では、ディスプレイ・ユニットは要求された広告間のギャップを埋めるために利用される埋め草広告を有している。例えば、ピークを外れた時間帯中に、２０分の期間を完全に埋める広告を出したい広告主が足りないことがある。残りの時間を埋めるために、会社のロゴ（例えばディスプレイ・ユニットを運営する会社のロゴ、またはその場所を所有している会社のロゴ）が表示される。別の実施形態では、可変長の公共サービスの告知が埋め草広告として利用される。
【００６２】
一実施形態では、制作された広告は中央データベースに記憶されるが、再生に利用できる前にシステム管理者による承認を受けなければならない。このように、システム管理者はメディア配信者が設定する何らかの基準を広告が確実に満たすようにすることができる。
【００６３】
一実施形態では、広告に優先順位が付される。一実施形態では、高い優先順位を得るためにより高い料金が課せられる。優先順位が高い広告は表示スケジュールで低い優先順位の広告に取って代わることができる。別の実施形態では、優先順位が高い広告は単純に、希望の時間に優先順位が低い広告とかち合わないように最初にスケジュール編成される。一実施形態では、広告主はある場所での各ディスプレイ・ユニットに特定回数だけ再生されるように広告をスケジュール編成することができる。例えば、広告Ａ、Ｂ、Ｃ、Ｄが各ディスプレイ・ユニットで２回再生されるようにスケジュール編成される。一実施形態では、広告が再生される順序は各ユニットごとに無作為に決定される。したがって、ディスプレイ・ユニット１は、ディスプレイ・ユニット２がＤ、Ｃ、Ａ、Ｂ、Ｄ、Ｃ、Ａ、Ｂを再生している間にＢ、Ｃ、Ｄ、Ａ、Ｂ、Ｃ、Ｄ、Ａを再生できる。この例では、生成の順序は最初の再生の場合は無作為であるが、最初の再生後にパターンがループとして反復される。別の実施形態では、反復再生の順序も無作為である。しかし、一実施形態では、同じ広告が前の再生時間のしきい値内で再生できないようにすることで反復再生の無作為性は制限される。
【００６４】
一実施形態では、優先順位が高い広告は、適切な時間に確実に利用できるようにするため、広告がスケジュール編成される前にある期間だけディスプレイ・ユニットをロックすることができる。例えば、ある場所ですべてのディスプレイ・ユニットを使用するようにコーディネートされた広告は、ユーザーが個々のディスプレイ・ユニットに対して本人確認し、異なる広告を見ることを防止するため、生成のスケジュール編成される１分前に各ステーションをロックする。
【００６５】
一実施形態では、ディスプレイ・ユニットは映画館の時計に実装される。したがって、広告は映画が終わるか、映画が始まる直前に再生されるようにスケジュール編成される。映画館ではない所に設置されたディスプレイ・ユニットも、ターゲットの広告スケジュール編成を補助するため現場用の時計に実装してもよい。例えばある実施形態では、航空機の出発および到着時間近くでの広告のスケジュール編成を可能にするため、空港のディスプレイ・システムを空港の時計に実装される。
【００６６】
図１１は本発明に夜広告のスケジュール編成のプロセスを示している。ブロック１１００で、広告主は広告のスケジュール編成を行うように要求する。ブロック１１１０で、希望の時間帯を利用できるかどうかが判定される。希望の時間帯を利用できない場合は、ブロック１１３０で優先順位が低い広告を再編成することによってその時間帯を空けることができるか否かが判定される。優先順位が低い広告を再編成することによってその時間帯を空けることができない場合は、ブロック１１４０で、広告主は希望の時間帯に広告をスケジュール編成できない。優先順位が低い広告を再編成することによってその時間帯を空けることができる場合は、ブロック１１５０で、優先順位が低い広告が再編成され、プロセスはブロック１１２０で継続される。
【００６７】
一実施形態では、広告を制作するために広告主にツールが提供される。ツールによって広告制作者は容易にサウンド、静止画像、および動画のファイルを広告内に編成し、休止時に、または視聴者との対話時に  広告がどのように作用するかを指定できる。別の実施形態では、ツールによって広告制作者は複数個のディスプレイ・ユニットで互いに対話する複数の広告を容易に制作できる。一実施形態では、ツールはディスプレイ・ユニットを含む全ての場所のディスプレイ・ユニット・レイアウト情報を供給する。別の実施形態では、ツールは標準セットのディスプレイ・ユニット・レイアウト（例えば一並びに２つのユニット、一並びに５つのユニット、または部屋の各壁の中央のユニット）を供給する。一実施形態では、ツールは仮想三次元の視聴環境を提供して、対話型ディスプレイがどのように見えるかを広告制作者が見ることができるようにする。視聴環境によって、広告制作者は視角を３６０°回転させて、壁の全てのディスプレイ・ユニットを見ることができ、また広告制作者は視角を上下に移動させて、視線レベルより高いか低い壁のレベルに設置されたディスプレイ、並びに天井または床に設置されたいずれかのディスプレイを見ることができる。
【００６８】
（個人専用の予告編／映画）
別の実施形態では、広告は映画館のスクリーンに表示される。観衆は座席で、または映画館に行く途上で本人確認誌、どの広告が再生されるか、および／または各広告がどのように再生されるかを決定するためにグループの人口統計学が利用される。例えば、観客の全てがグラフィック暴力場面のファンである場合は、映画用の広告のグラフィック暴力場面が残される。観客に家族連れが多い場合は、広告からヌードシーンが削除され、より家族向きの製品、サービス、映画など向きの広告が表示される。別の実施形態では、広告は長編映画である。この場合も観客の人口統計学的構成が特定され、広告が観客向きに適応される（例えば、サウンドトラックの変更、場面の削除または追加、またはエンディングの変更さえも）。別の実施形態では、観客の経験に適応させるようにリアルタイム・データが収集され、分析される。一実施形態では、観客のフィードバックをデシベル・レベルで測定するために、その場所にマイクロフォンが設置される。別の実施形態では、視聴者の身体的特徴をモニターして、観客のフィードバックをモニターするために、生物測定学的な入力装置が使用される。
【００６９】
（支払い−視聴の確認）
一実施形態では、視聴の確認とはユーザー（例えば映画ファン）が能動的映画ポスター（モーション・ポスター）またはクリエーティブ（ただし“クリエーティブ”とは独創的な側面を暗示する表示されたコンテンツのことである）の長さの少なくとも半分だけ見たことを表す。ある実施形態の例では、視聴の確認とはユーザーが３０秒の能動的映画ポスターを少なくとも１５秒間見たことを表す。別の実施形態では、視聴の確認はクリエーティブの別々の断片的を（または全体を）見た結果として発生する。さらに別の実施形態では、視聴の確認はクリエーティブ全体の長さに関わりなく、ユーザーがクリエーティブを一定の時間だけ見他結果として発生する。一実施形態では、視聴の確認はモーション・イベント、および／または標的のイベントの再生ログ・データを解析（超音波検出またはその他）することによって判定される。さまざまな実施形態では、イベントはユーザー・インタラクション、またはスポットの再生中にポスターの前に人がいることを示すスケジュール再生のいずれかによってトリガされる。一実施形態では、ユーザーまでの距離を判定し、および／またはスポットの再生中にユーザーがどのくらい長くいたかを判定するために、データはさらに解析される。一実施形態では、求心力はコンテンツがいかに“興味深い”かによって左右される。
一実施形態では、このデータは発売（封切り）時に映画および／またはスポンサーの製品がいかに好意的に受け入れられるかの予測を補助する。
【００７０】
（支払い−リポート提出）
一実施形態では、各期間の閉めの時点（例えば１ヶ月）でリポートが作成される。一実施形態では、リポートは以下を示す。すなわち予約されたユニット（スケジュール編成された再生）、実行された再生（実際の再生数）、モーション・イベントの総数（受動的な対話を介したユーザーの“関心”によりトリガされたユニット数）、確認された視聴（特定時間で見られたユニット数）、および／またはカード・イベントの総数（オンデマンド、またはリクエストで再生されたユニット数）である。一実施形態では、スタジオの映画ポスターリポートがグラフによって映画ファンの（例えば他の映画封切りと比較した）関心を表示する。
【００７１】
図１２は本発明の実施形態によるリポートのサンプルを示している。コンテンツに関する情報には、タイトル、スタジオ、キャンペーン、開始日、終了日、フライト、コスト、キャンペーンのパラメータ、主要な市場、副次的な市場、月間目標到達度、リポートのパラメータ、その他のパラメータ、クリエーティブの説明、リリース日、関連リリース日、およびスケジュール編成された再生数、モーションによってトリガされた再生数、ＩＡ時間再生数、モーションによってトリガされた再生とＩＡ時間再生の総数、モーション・イベントと確認された視聴の総数が含まれる。
【００７２】
（活動顧客勘定）
一実施形態では、モーション・イベントとカード・イベントは特定の“受動的”、または“リクエスト”された対話によって条件付けられるので、付加的に“トリガ”されたユニットが幾つ出現したかを正確に知る方法はない。一実施形態では、これらのユニットについての支払いは別個に処理される（例えば各キャンペーンの終了時に集計される）。一実施形態では、スポンサーは予算支出および／またはメディア購入を制限し、および／または封じ込めることができる。一実施形態では、支出を制限するスポンサーは目標達成を超えると報酬を受けることができる。
【００７３】
一実施形態では、コンテンツ・スポットは初期料金構造の下で最初のバイヤー（例えばスタジオ）によって保存される。別の実施形態では、最初のバイヤーはコンテンツ・スポットを第二の料金構造の下で第二のバイヤー（例えばスタジオの販売促進パートナー）に再販する。一実施形態では、最初のバイヤーが保存されているコンテンツ・スポットの一部または全部を再販できない場合は、最初のバイヤーは再販できなかったコンテンツ・スポットを購入する資格がない。別の実施形態では、最初のバイヤーは保存している全てのコンテンツ・スポットを購入する資格がある。
【図面の簡単な説明】
【００７４】
【図１】図１は本発明の一実施形態によるメディア配信アーキテクチャ、および聴視アーキテクチャのブロック図である。
【図２】図２は本発明の一実施形態によるディスプレイ・ユニットのブロック図である。
【図３】図３は本発明の一実施形態によるディスプレイ・ユニットのブロック図である。
【図４】図４は本発明の一実施形態による聴視の奨励および確認プロセスの流れ図である。
【図５】図５は本発明の一実施形態による広告主への請求書発行プロセスの流れ図である。
【図６】図６は本発明の一実施形態によるコンテンツのディスプレイ・プロセスの流れ図である。
【図７】図７は本発明の一実施形態による視聴者の人口統計学的データに基づくコンテンツのディスプレイ・プロセスの流れ図である。
【図８】図８は本発明の一実施形態によるコンテンツ配信プロセスの流れ図である。
【図９】図９は本発明の一実施形態による多重ディスプレイ・コンテンツのディスプレイ・プロセスの流れ図である。
【図１０】図１０は本発明の一実施形態によるコンテンツのスケジュール編成プロセスの流れ図である。
【図１１】図１１は本発明の一実施形態による広告のスケジュール編成プロセスの流れ図である。
【図１２】図１２は本発明の一実施形態によるサンプル・リポートのブロック図である。
【図１】
2005514827.tif 000003
【図２】
2005514827.tif 000004
【図３】
2005514827.tif 000005
【図４】
2005514827.tif 000006
【図５】
2005514827.tif 000007
【図６】
2005514827.tif 000008
【図７】
2005514827.tif 000009
【図８】
2005514827.tif 000010
【図９】
2005514827.tif 000011
【図１０】
2005514827.tif 000012
【図１１】
2005514827.tif 000013
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
メディア配信方法であって、
複数のメディア・コンテンツをデータベースに記憶するステップと、
ディスプレイ・ユニット用に再生スケジュールを作成するステップと、
前記再生スケジュールに従って前記ディスプレイ・ユニットに前記複数のメディア・コンテンツの要素を表示するステップと、を含む方法。
【請求項２】
前記ディスプレイ・ユニットで環境データセットを収集するステップをさらに含む請求項１に記載の方法。
【請求項３】
前記環境データセットに応じて前記再生スケジュールを変更するステップをさらに含む請求項２に記載の方法。
【請求項４】
前記環境データは人口統計学的情報を含む請求項３に記載の方法。
【請求項５】
メディアの表示方法であって、
メディア・アイテムを第一の状態で表示するステップと、
トリガ・イベントを受信するステップと、
メディア・アイテムを第二の状態で表示するステップと、を含む方法。
【請求項６】
前記トリガ・イベントは時間経過、モーションイベント、カードイベントまたは１つ以上の同期イベントである請求項５に記載の方法。
【請求項７】
メディア配信方法であって、
ディスプレイ・ユニットに関連する情報セットを取得するステップと、
前記情報セットに関連する前記メディアの要素を表示するステップと、を含む方法。
【請求項８】
前記取得ステップは、
視聴者の本人確認を行い、
前記視聴者に関連する第二の情報セットを取得するステップを含む請求項７に記載の方法。
【請求項９】
前記取得ステップは、
第二の環境データセットを取得するステップを含む請求項７に記載の方法。
【請求項１０】
前記第二の環境データセットは前記ディスプレイ・ユニットの単数、または複数の視聴者に関連する人口統計学的情報を含む請求項９に記載の方法。
【請求項１１】
メディア配信方法であって、
コンテンツのプロバイダにコンテンツ要素を表示するための第一の料金を課すステップと、
前記コンテンツ要素が視聴されていることが確認されると、前記コンテンツのプロバイダにコンテンツ要素を表示するための第二の料金を課すステップと、を含む方法。
【請求項１２】
前記コンテンツ要素が所望の人口統計学的要素に関連する視聴者によって視聴されたことが確認される請求項１１に記載の方法。
【請求項１３】
メディア配信方法であって、
コンテンツの再生を第一の料金で最初の購入者によって確保するステップと、
前記コンテンツの再生を第二の料金で第二の購入者に再販することを試みるステップと、を含む方法。
【請求項１４】
前記コンテンツの再生が第二の購入者によって再販された場合だけ、前記第一の料金を前記最初の購入者に課すステップをさらに含む請求項１３に記載の方法。
【請求項１５】
メディア表示のスケジュール編成方法であって、
メディア要素の再生時間を要求するステップと、
前記再生時間中に前記コンテンツ要素を再生できるか否かを判定するステップと、
前記再生時間中に前記コンテンツ要素を再生できる場合は、前記再生時間中にゼンキコンテンツ要素のスケジュールを編成するステップと、を含む方法。
【請求項１６】
前記再生時間は、期間または時間のインスタンスである請求項１５に記載の方法。
【請求項１７】
前記判定ステップは、
前記メディア要素にメディア要素の優先順位を割当てるステップと、
スケジュール編成された１つ以上の前記メディアデイア要素よりも優先順位が低いメディア要素のスケジュール再編成によって前記メディア要素が前記再生時間中にスケジュール編成されることが可能か否かを判定するステップと、を含む請求項１５に記載の方法。
【請求項１８】
メディア配信システムであって、
複数のメディア・コンテンツを記憶するように構成されたデータベースと、
再生スケジュールを作成するように構成されたスケジュール編成ユニットと、
前記再生スケジュールに従って前記ディスプレイ・ユニットに前記複数のメディア・コンテンツの要素を表示するように構成されたディスプレイ・ユニットと、を備えたシステム。
【請求項１９】
前記ディスプレイ・ユニットで環境データセットを収集するように構成された収集ユニットをさらに備えた請求項１８に記載のメディア配信システム。
【請求項２０】
前記環境データセットに応じて前記再生スケジュールを変更するように構成されたスケジュール変更ユニットをさらに備えた請求項１９に記載のメディア配信システム。
【請求項２１】
前記環境データは人口統計学的情報を含む請求項２０に記載のメディア配信システム。
【請求項２２】
メディア表示システムであって、
メディア・アイテムを第一の状態で表示するように構成された第一表示サブシステムと、
トリガ・イベントを受信するように構成されたイベント受信機と、
メディア・アイテムを第二の状態で表示するように構成された第二表示サブシステムと、を備えたシステム。
【請求項２３】
前記トリガ・イベントは、時間経過、モーションイベント、カードイベント、複数のディスプレイイベントまたは１つ以上の同期イベントである請求項２２に記載のシステム。
【請求項２４】
メディア配信システムであって、
ディスプレイ・ユニットに関連する情報セットを取得するように構成された取得ユニットと、
前記情報セットに関連する前記メディア要素を表示するように構成されたディスプレイ・ユニットと、を備えたシステム。
【請求項２５】
前記取得ユニットは、
視聴者の本人確認を行うように構成された本人確認ユニットと、
前記視聴者に関連する第二の情報セットを取得するように構成された第二取得ユニットと、を備えた請求項２４に記載のメディア配信システム。
【請求項２６】
前記取得ユニットは、
第二の環境データセットを取得するように構成された第二取得ユニットを備えた請求項２４に記載のメディア配信システム。
【請求項２７】
前記セットは前記ディスプレイ・ユニットの単数、または複数の視聴者に関連する人口統計学的情報を含む請求項２６に記載のメディア配信システム。
【請求項２８】
メディア配信システムであって、
コンテンツのプロバイダにコンテンツ要素を表示するための第一の料金を課すように構成された第一価格決定サブシステムと、
前記コンテンツ要素が視聴されていることが確認されると、コンテンツのプロバイダにコンテンツ要素を表示するための第二の料金を課すように構成された第二価格決定サブシステムと、を備えたシステム。
【請求項２９】
前記コンテンツ要素が所望の人口統計学的要素に関連する視聴者によって視聴されたことが確認される請求項２８に記載のメディア配信システム。
【請求項３０】
メディア配信システムであって、
コンテンツの再生を第一の料金で最初の購入者によって確保するように構成された確保ユニットと、
前記コンテンツの再生を第二の料金で第二の購入者に再販することを試みるように構成された再販サブシステムと、を備えたシステム。
【請求項３１】
前記コンテンツの再生が第二の購入者によって再販された場合だけ、前記第一の料金を前記最初の購入者に課すように構成された価格決定サブシステムをさらに備えた請求項３０に記載のメディア配信システム。
【請求項３２】
メディア表示のスケジュール編成システムであって、
メディア要素の再生時間を要求するように構成された要求ユニットと、
前記再生時間中に前記コンテンツ要素を再生できるか否かを判定するように構成された判定装置と、
前記再生時間中に前記コンテンツ要素を再生できる場合は、前記再生時間中に前記コンテンツ要素のスケジュールを編成するように構成されたスケジューラと、を備えたシステム。
【請求項３３】
前記再生時間は、期間、時間のインスタンス、複数のディスプレイイベントまたは１つ以上の同期イベントである請求項３２に記載のメディア表示のスケジュール編成システム。
【請求項３４】
前記判定装置は、
前記メディア要素にメディア要素の優先順位を割当てるように構成された割当てユニットと、
スケジュール編成された１つ以上の前記メディアデイア要素よりも優先順位が低いメディア要素のスケジュール再編成によって前記メディア要素が前記再生時間中にスケジュール編成されることが可能か否かを判定するように構成された第二判定装置と、を備えた請求項３２に記載のメディア表示のスケジュール編成システム。
【請求項３５】
メディア表示システムであって、
関連メディア・コンテンツを表示するように接続可能に構成された２つ以上の表示システムと、
１つ以上のトリガ・イベントを受信するように構成された１つ以上の受信機と、を備えたシステム。
【請求項３６】
前記１つ以上のイベント受信機は外部ソースからのトリガ・イベントを受信するように構成された請求項３５に記載のメディア表示システム。
【請求項３７】
前記外部ソースはディスプレイ・ユニットである請求項３６に記載のメディア表示システム。
【請求項３８】
前記システムは再生スケジュールを作成するように構成された１つ以上のスケジュール編成ユニットを備えた請求項３５に記載のメディア表示システム。
【請求項３９】
前記１つ以上の受信機は前記再生スケジュールからトリガ・イベントを受信するように構成された請求項３８に記載のメディア表示システム。
【請求項４０】
前記トリガ・イベントは時間経過、モーションイベントまたはカードイベントである請求項３５に記載のメディア表示システム。
【手続補正２】
【補正対象書類名】図面
【補正対象項目名】全図
【補正方法】変更
【補正の内容】
【図１】
2005514827.tif 000014
【図２】
2005514827.tif 000015
【図３】
2005514827.tif 000016
【図４】
2005514827.tif 000017
【図５】
2005514827.tif 000018
【図６】
2005514827.tif 000019
【図７】
2005514827.tif 000020
【図８】
2005514827.tif 000021
【図９】
2005514827.tif 000022
【図１０】
2005514827.tif 000023
【図１１】
2005514827.tif 000024
【図１２】
2005514827.tif 000025
【手続補正書】
【提出日】平成16年9月27日(2004.9.27)
【手続補正１】
【補正対象書類名】図面
【補正対象項目名】全図
【補正方法】変更
【補正の内容】
【図１】
2005514827.tif 000026
【図２】
2005514827.tif 000027
【図３】
2005514827.tif 000028
【図４】
2005514827.tif 000029
【図５】
2005514827.tif 000030
【図６】
2005514827.tif 000031
【図７】
2005514827.tif 000032
【図８】
2005514827.tif 000033
【図９】
2005514827.tif 000034
【図１０】
2005514827.tif 000035
【図１１】
2005514827.tif 000036
【国際調査報告】
2005514827.tif 000037
2005514827.tif 000038